【手続補正書】
【提出日】平成15年8月1日(2003.8.1)
【手続補正１】
【補正対象書類名】明細書
【補正対象項目名】全文
【補正方法】変更
【補正の内容】
【発明の名称】文書細断機
【特許請求の範囲】
【請求項１】細断機本体に設けられた電動機によって回転させられる対向した一対の回転軸と、これらの回転軸にそれぞれ所定間隔をおいて設けられた複数の回転刃と、これらの回転刃の間に配置されて細断された紙片を掻き取る掻取体とを有する文書細断機において、前記掻取体を、前記両回転軸の下部から反対向部にかけての略半周以下の範囲で両回転軸と摺接し、両回転軸の上部から対向部にかけての略半周以上の範囲が露出する形状に形成すると共に、前記細断機本体との間に紙片の最大幅よりも広い間隔の空間をおいて前記複数の回転刃を設けたことを特徴とする文書細断機。
【請求項２】前記掻取体の摺接位置上端から延びる面を、前記回転軸からの放射方向に対して遅れ方向となるように形成したことを特徴とする請求項１記載の文書細断機。
【請求項３】前記掻取体の摺接位置上端から延びる面を略水平面としたことを特徴とする請求項２記載の文書細断機。
【発明の詳細な説明】
【０００１】
【発明の属する技術分野】
本発明は、いわゆるクロスカット型の文書細断機に関するものであり、特にその細断のための構造に関するものである。
【０００２】
【発明が解決しようとする課題】
従来この種の文書細断機としては、例えば特開平１１−２２１４８２号公報等に記載されているものが知られている。これは、複数の回転刃が設けられた回転軸の略半周に接するスクレーパー（掻取体）を有するものである。そして、この文書細断機のスクレーパーは、一方の回転刃によって細断された細断屑を他方の回転軸に巻き込まないように掻き落とし、細断屑（紙片）が回転刃間に詰まってしまうことを防いでいる。
【０００３】
しかしながら、これらの文書細断機においては、前記細断屑が静電気等によって回転刃に付着したまま連れ回ってしまうことがあった。そして、回転刃に付着したまま連れ回ってしまった細断屑は、通常であればそのまま１周し、新たに細断された細断屑と一緒に落下することになるが、紙を投入したときの状態等によっては、細断屑がスクレーパー同士の間隔よりも太くなってしまうこともあり、この結果、スクレーパー同士の間に細断屑が詰まってしまう場合があった。そして更に、このように細断屑が詰まった所に順次細断屑が送られてくると、次第に細断屑が溜まってしまうことになり、この結果、溜まった細断屑が抵抗となって回転刃が回転しにくくなり、電動機に過負荷がかかってしまう虞があった。
【０００４】
本発明は以上の問題点を解決し、細断された紙片が回転刃に連れ回ったとしても、掻取体同士の間に溜めることなく落下させることができる文書細断機を提供することを目的とする
【０００５】
【課題を解決するための手段】
本発明の文書細断機は、細断機本体に設けられた電動機によって回転させられる対向した一対の回転軸と、これらの回転軸にそれぞれ所定間隔をおいて設けられた複数の回転刃と、これらの回転刃の間に配置されて細断された紙片を掻き取る掻取体とを有する文書細断機において、前記掻取体を、前記両回転軸の下部から反対向部にかけての略半周以下の範囲で両回転軸と摺接し、両回転軸の上部から対向部にかけての略半周以上の範囲が露出する形状に形成すると共に、前記細断機本体との間に紙片の最大幅よりも広い間隔の空間をおいて前記複数の回転刃を設けたものである。
【０００６】
本発明は以上のように構成することにより、細断されて回転刃に連れ回った紙片が掻取体間を通過するとき、この掻取体が回転軸の略半周以下の範囲で回転軸と接する程度の大きさに形成されているため、紙片が掻取体間を通過する距離が短く、従って詰まりにくくなると共に、掻取体間を通過した紙片が細断機本体と回転刃との間の空間で倒れた後、回転刃に乗ったまま回転刃間に送られて落下する。
【０００７】
また、本発明の文書細断機は、請求項１において、前記掻取体の摺接位置上端から延びる面を、前記回転軸からの放射方向に対して遅れ方向となるように形成したものである。
【０００８】
本発明は以上のように構成することにより、紙片が掻取体間を通過する距離が短くなる。
【０００９】
更に、本発明の文書細断機は、請求項２において、前記掻取体の摺接位置上端から延びる面を略水平面としたものである。
【００１０】
本発明は以上のように構成することにより、掻取体間を通過して前記空間で倒れた紙片が回転刃に乗らなかったとしても、この紙片が細断機本体と掻取体の間に溜まってしまうことが防止される。
【００１１】
【発明の実施形態】
以下、本発明の実施形態を添付図を参照して説明する。図中１はケース状の細断機本体であって、その下側内部には、図示しないダストボックスが出し入れ自在に収納されている。本体ケース１の上面には紙挿入用のスリット３が開口している。スリット３の下方には収納空間４が連通して形成されている。収納空間４にはスリット３と平行に一対の回転軸５，６が対向して配設されている。これら回転軸５，６には所定間隔（ピッチ）をおいて回転刃７，８がそれぞれ設けられているとともに、一方の回転軸５に設けられた回転刃７の間に、他方の回転軸６に設けられた回転刃８が噛み合うように配置されている。更に、前記回転刃７，８の外周面における対向する２箇所に該外周面を横切るように溝刃９が形成されている。また、回転軸５，  ６の両端部は、細断機本体１内の両側部に立設されたシャーシ１０に回転自在に軸支されており、そして、これら回転軸７，８は、対向部Ａ側が下向きに回動するように、シャーシ１０に固定した電動機１１により図示しない回転伝達装置を介して駆動するようになっている。
【００１２】
更に、一方の回転軸５に設けられ隣接した回転刃７相互の間に、細断された紙片を掻き取る掻取体１２が一方の反対向部Ｂに配設されている。同様に、他方の回転軸６に設けた隣接した回転刃８相互の間にも掻取体１３が他方の反対向部Ｂに配設されている。これら掻取体１２，１３は、その円弧状の内周面１４が回転軸５，６の外周面に摺接しており、この掻取体１２，１３の始端となる摺接位置下端１５は、回転軸５，６のそれぞれの軸心を結ぶ仮想直線Ｚより下方へほぼ４５度の角度に位置し、該摺接位置下端１５より回転軸５，６の回転方向の外周面に沿った終端となる摺接位置上端１６は、仮想直線Ｚと回転軸５，６のそれぞれの上端との間の高さ位置、図面では回転軸５，６のそれぞれの上端に近い高さ位置に配置されている。すなわち掻取体１２，１３は回転軸５，６における下部から反対向部Ｂにかけての略半周以下の範囲で回転軸５，６とそれぞれ摺接し、一方、回転軸５，６においては、上部から対向部Ａにかけての略半周以上の範囲で露出している。
【００１３】
また、前記掻取体１２，１３の摺接位置下端１５から反対向部Ｂに延びる掻取体１２，１３の下面１７は、回転軸５，６の軸心からの放射方向Ｒに対して進み方向となるように円弧面によって形成している。また前記掻取体１２，１３の摺接位置上端１６から反対向部Ｂに延びる掻取体１２，１３の面１８は、回転軸５，６の軸心からの放射方向Ｓに対して遅れ方向となるように、略水平面によって形成している。更に、前記回転刃７，８と細断機本体１内の収納空間４との間には空間１９が形成されており、この空間１９の幅Ｌは、紙２０が切断された紙片２０Ａの最大幅Ｍよりも大きく形成されている。すなわち、前記幅Ｌは紙２０の紙片２０Ａを形成するための回転刃７，８の幅Ｎよりも大きく形成されている。尚、前記掻取体１２，１３はそれぞれその反対向部Ｂの下部において、取り付け軸２１に所定間隔をおいて固定されており、この取り付け軸２１はシャーシ１０に貫通固定している。図中２２は光センサーであり、スリット３より紙２０が挿入されると、光が遮断されて電動機１１をオンするようになっている。
【００１４】
次に前記構成について、その作用を説明する。本体ケース１のスリット３から紙２０を挿入すると、光センサー２２がこれを検知して電動機１１を作動して回転刃７，８を互いに噛み合うように回動すると共に、紙２０は回転刃７，８の対向部Ａ間に導入される。そして紙２０は回転刃７，８により短冊状に細断され、かつ回転刃７，８の溝刃９により所定間隔ごとにいわゆるクロスカット状に切断されて、細かく細断される。細断された紙片２０Ａは掻取体１２，１３の摺接位置下端１５から下面１７に沿って落下して、ダストボックス２に収容される。この場合、細断された紙片２０Ａは、全てが下方へ排出される訳ではなく、その一部は回転軸５，６の回転方向に移動し、回転刃７，８の背後へ回り込んで、それぞれの掻取体１２，１３の相互間に入り込み詰まってしまう虞が生ずる。しかしながら、掻取体１２，１３は回転軸５，６における下部から反対向部Ｂにかけての略半周以下の範囲で短くなって回転軸５，６とそれぞれ摺接しているので、紙片２０Ａが回転刃７，８の背後へ回り込んでも、掻取体１２，１３間を通過した紙片２０Ａが細断機本体１と回転刃７，８との間の空間１９で倒れた後、溝刃９に掛かるようにして回転刃７，８に乗ったまま回転刃７，８間に送られ、再び紙２０と共に細断され、下方へ排出される。この際、空間１９において紙片２０Ａが起きても、前記回転刃７，８と収納空間４との間の幅Ｌは、紙２０が切断された紙片２０Ａの最大幅Ｍよりも大きく形成されているので、空間１９で紙片２０Ａが詰まってしまう虞はない。また、掻取体１２，１３の終端、すなわち摺接位置上端１６から延びる面１８を、前記回転軸５，６からの放射方向Ｓに対して遅れ方向となるように略水平に形成して、紙片２０Ａがそれぞれの掻取体１２，１３の相互間を通過する距離が短くなることで、掻取体１２，１３の相互間での紙片２０Ａの詰まりをいっそう低減することができ、更に、前記面１８を略水平面としたので、掻取体１２，１３間を通過して前記空間１９で倒れた紙片２０Ａが回転刃７，８に乗らなかったとしても、この紙片２０Ａが細断機本体１と掻取体１２，１３の間に溜まってしまうことが防止される。
【００１５】
以上のように、前記実施形態では前記掻取体１２，１３を、前記両回転軸５，６の下部から反対向部Ｂにかけての略半周以下の範囲で両回転軸５，６と摺接し、両回転軸５，６の上部から対向部Ａにかけての略半周以上の範囲が露出する形状に形成すると共に、細断機本体１との間に紙片２０の最大幅Ｍよりも広い間隔の空間１９をおいて前記回転刃７，８を設けたものであり、細断されて回転刃７，８に連れ回った紙片２０Ａが掻取体１２，１３間を通過するとき、この掻取体１２，１３が軸の略半周以下の範囲で両回転軸５，６と接する程度の大きさに形成されているため、紙片２０Ａが掻取体１２，１３間を通過する距離が短く、従って詰まりにくくなると共に、掻取体１２，１３間を通過した紙片２０Ａが細断機本体１と回転刃７，８との間の空間１９で倒れた後、回転刃７，８に乗ったまま回転刃７，８間に送られて落下するので、それぞれの掻取体１２，１３の間に溜めることなく細断することができる。
【００１６】
また、前記掻取体１２，１３の始端から延びる面１８を、前記回転軸５，６からの放射方向Ｓに対して遅れ方向となるように形成したものであり、紙片２０Ａが掻取体１２，１３間を通過する距離が短くなることで、紙片２０Ａを掻取体１２，１３の間にいっそう溜めることなく細断することができる。
【００１７】
更に、前記掻取体１２，１３の摺接位置上端１６から延びる面１８を略水平面としたものであり、掻取体１２，１３間を通過して前記空間１９で倒れた紙片２０Ａが回転刃７，８に乗らなかったとしても、この紙片２０Ａが細断機本体１と掻取体１２，１３の間に溜まってしまうことが防止されるので、スムースに細断を行うことができる。
【００１８】
尚、本発明は上記実施例に限定されるものではなく、本発明の要旨の範囲内において、種々の変形実施が可能である。
【００１９】
【発明の効果】
本発明の文書細断機は、細断機本体に設けられた電動機によって回転させられる対向した一対の回転軸と、これらの回転軸にそれぞれ所定間隔をおいて設けられた複数の回転刃と、これらの回転刃の間に配置されて細断された紙片を掻き取る掻取体とを有する文書細断機において、前記掻取体を、前記両回転軸の下部から反対向部にかけての略半周以下の範囲で両回転軸と摺接し、両回転軸の上部から対向部にかけての略半周以上の範囲が露出する形状に形成すると共に、前記細断機本体との間に紙片の最大幅よりも広い間隔の空間をおいて前記複数の回転刃を設けたものであり、細断されて回転刃に連れ回った紙片が掻取体間を通過するとき、この掻取体が軸の略半周以下の範囲で軸と接する程度の大きさに形成されているため、紙片が掻取体間を通過する距離が短く、従って詰まりにくくなると共に、掻取体間を通過した紙片が細断機本体と回転刃との間の空間で倒れた後、回転刃に乗ったまま回転刃間に送られて落下するので、紙片を掻取体の間に溜めることなく細断することができる。
【００２０】
また、本発明の文書細断機は、請求項１において、前記掻取体の摺接位置上端から延びる面を、前記回転軸からの放射方向に対して遅れ方向となるように形成したものであり、紙片が掻取体間を通過する距離が短くなることで、紙片を掻取体の間にいっそう溜めることなく細断することができる。
【００２１】
更に、本発明の文書細断機は、請求項２において、前記掻取体の摺接位置上端から延びる面を略水平面としたものであり、掻取体間を通過して前記空間で倒れた紙片が回転刃に乗らなかったとしても、この紙片が細断機本体と掻取体の間に溜まってしまうことが防止されるので、スムースに細断することができる。
【図面の簡単な説明】
【図１】本発明の一実施形態を示す要部の一部切り欠き側面図である。
【図２】本発明の一実施形態を示す要部の斜視図である。
【符号の説明】
１  細断機本体
５  ６  回転軸
７  ８  回転刃
１２  １３  掻取体
１６  摺接位置上端
１８  面
１９  空間
Ａ  対向部
Ｂ  反対向部
Ｌ  幅
Ｍ  最大幅
Ｓ  放射方向